(57)【特許請求の範囲】
【請求項１】
複数のはめ込み式の部材（３、４、５）を備えたはめ込み式のロッドと、
互いに隣接するはめ込み式の部材の各対に対して、各対のはめ込み式の部材の相対的な摺動の２つの方向のうちの一方向への摺動を妨げ、他方向への相対的な摺動を自由にさせるように、各対の一方のはめ込み式の部材に取り付けられ、他方のはめ込み式の部材に作用する延長停止機構と、前記一方向への相対的な摺動を制御して自由にするために、前記停止機構を制御し自由にするための手段（３１）とを具備し、前記停止機構は、径方向に拡張可能なリングと、このリングのためのエキスパンダ体（２２、２２’）とを有し、このエキスパンダ体は、前記リングとこのエキスパンダ体との間の相対的な運動の結果として、このリングの要素を前記他方のはめ込み式の部材の内側シェルへと径方向に押圧させる、光学用または写真用の支持部のための脚部において、
前記リングは、前記他方のはめ込み式の部材の内側シェルの曲率と実質的に一致している曲率を有する外側シェル（２１、２１’）を備えた複数のバレルローラ（２０、２０’）を有することを特徴とする、光学用または写真用の支持部のための脚部。
【請求項２】
前記停止機構は、前記ローラ（２０、２０’）を、これらのローラ（２０、２０’）を互いに円周上で離間した状態に維持し、かつこれらのローラ（２０、２０’）を前記エキスパンダ体（２２、２２’）の動きに関して前記状態に保持するために、前記リングのローラ（２０、２０’）に作用するケージ（１７、１７’）を有する、請求項１の光学用または写真用の支持部のための脚部。
【請求項３】
複数の前記ローラ（２０、２０’）は、前記ケージ（１７、１７’）から夫々等距離にある、請求項１または２の、光学用または写真用の支持のための脚部。
【請求項４】
前記エキスパンダ体により前記複数のローラ（２０、２０’）に、複数の前記はめ込み式の部材間の相対的な摺動に対する摩擦を与えるのに十分な、弾性的なあらかじめ与えられる負荷をかけるために、前記複数のローラからなるリング（２０、２０’）と前記エキスパンダ体（２２、２２’）との間に作用する弾性的な手段（１１、１１’）が設けられている、請求項１乃至３のいずれか１の光学用または写真用の支持部のための脚部。
【請求項５】
前記停止機構は、前記各対のうち内側のはめ込み式の部材の一端に取り付けられたストッパ（８、８’）と、このストッパ中で摺動可能なスリーブ（１３、１３’）と、このスリーブを各対のうち内側のはめ込み式の部材の中に戻すように作用する、前記ストッパとスリーブとの間の弾性的な手段（１１、１１’）と、前記一方向への前記はめ込み式の部材にかかる負荷の結果として、前記複数のローラ（２０、２０’）とスリーブの間に位置されることができる円錐状のリング（２２、２２’）を備えた前記エキスパンダ体とを有する、請求項１乃至４のいずれか１の光学用または写真用の支持部のための脚部。
【請求項６】
前記ケージ（１７、１７’）は、前記スリーブ（１３、１３’）に取り付けられ、前記複数のローラ（２０、２０’）からなるリングを前記エキスパンダ体（２２、２２’）と係合するように押圧するために、前記弾性的な手段のあらかじめ負荷をかける作用をうけているプレート（１６、１６’）を有する、請求項１乃至５のいずれか１の光学用または写真用の支持部のための脚部。
【発明の詳細な説明】
【技術分野】
【０００１】
本発明は、光学用もしくは写真用の支持部のための脚部に関する。この脚部は、一脚の、もしくは、複数脚の支持部の、特に、いわゆる三脚の支持部の作成に適している。
【背景技術】
【０００２】
これらの支持部において、仕事が、完了された時に、前記支持部を戻すために、前記脚部を閉じることをまた複雑にさせることなく、複数の前記脚部の単純化された位置取り、例えば、それぞれのロックを有する様々なはめ込み式の部材の延長を、所望の延長で可能にすることの問題が、出てくる。前記はめ込み式の部材は、仕事が、終えられた時に容易なロック解除を確実にしている一方で、負荷の下でロックの機能を増加させるために適しているそれぞれのロックの配置を与えられていることが、また望まれている。前記ロック解除の操作を単一の操作装置の操作で機能させることが、可能であるべきことが、また望まれている。
【０００３】
これらの機能は、先行技術により製造された支持部によっては、同時に全て利用可能とされていない。
【０００４】
例えば、互いに同心的にはめ込み式に導かれている１対の要素（複数のはめ込み式の部材）を有する脚部（そうでなければ複数脚の支持部においては足部として知られている）を製造することが、知られている。これらのはめ込み式の部材の１つは、ボールのリングの形式のタイプのロック手段を有している。ロックは、前記ボールと円錐台形のエキスパンダ体との間の相対的な動きの結果としての、前記ボールのリングの拡大により、もたらされている。
【０００５】
このタイプの脚部の第１の不利な点は、日常的にそうであるように、前記はめ込み式の部材が、軽い合金、例えば、アルミニウムの合金から製造されている時に直面される。この場合、前記エキスパンダ体の機能が、負荷の下で増加するので、すなわち、複数の前記ボールが、問題となっている前記はめ込み式の部材の内側シェルに対して押される力が、前記脚部の上に重みをかける負荷に比例して増加するので、前記リングの径方向の拡大の圧力が、前記球が、押圧されている前記はめ込み式の部材の内側シェルを損傷するほど重大である状態が、生じることができる。ロックの解除は、前記エキスパンダ体に対して前記ボールを保持しているプレートに作用する棒を操作することによりもたらされる。この機構が、このようなものなので、はめ込み式の部材のただ１つの対をコントロールすることが、可能である。このことは、延長された状態における前記脚部の高さを、容認できない程度で制限している。
【発明の開示】
【発明が解決しようとする課題】
【０００６】
本発明が、基づいている問題は、とりわけ、写真用の並びに／もしくは映画撮影用の機器を含む、光学用の機器のために意図された一脚もしくは複数脚の支持部のための脚部を与えることである。この脚部は、構造的に、そして、機能的に上述の先行技術を参照して議論された全ての不利な点を克服するように設計されている。
【課題を解決するための手段】
【０００７】
この問題は、以下の請求項によって作られる脚部による発明により解決される。
【発明を実施するための最良の形態】
【０００８】
本発明の態様と有利な点は、添付された図面を参照して制限のない例の方法により図示されている、本発明の好ましい実施の形態の詳細な記述から、より明確になるだろう。
【０００９】
図面において、１は、一般的に、軸の一端に、複数脚の支持部、例えば、写真用三脚を形成するための、クロスメンバなど（図示されていない）への結合のための機構２を有する脚部を示している。
【００１０】
この脚部１は、３つの管状のはめ込み式の部材で直径の増加している３、４、５を有している。これらは、図１の縮小された位置において、互いに同心状になるように摺動可能に挿入可能であり、また、これらは、必要とされた操作上の延長条件において、１つが他からはめ込み式に延長可能である。
【００１１】
最小の直径を有する、前記第１のはめ込み式の部材３は、前記機構２の座部７に収納されている一端を有し、また、反対側の端に挿入されて、中央の孔９を有するストッパ８を有する。このストッパ８は、その唇部１０と共に、前記第１のはめ込み式の部材に当たっている。
【００１２】
前記唇部１０に対向する端において、前記ストッパ８は、らせん状ばね１１のような弾性的な手段のための係合表面１０ａを形成している。このらせん状ばね１１は、また、スリーブ１３の肩部１２に対して機能する。このスリーブ１３は、管状であり、第１のはめ込み式の部材の自由端を越えて延び、ケージ１７のプレート１６を保持しているリング１５を有する付属物１４において終わっている。このケージ１７は、リング１９を有しており、このリング１９には、前記プレート１６から延び、等しい角度間隔で円周上で離間されている複数の足部１９ａが、結合されている。
【００１３】
前記ケージ１７の中に、複数のバレルローラ２０からなるリングが、支持されている。これらのバレルローラ２０は、円周上に夫々等距離にあり、このバレルローラ２０の外側シェル２１が、前記第２のはめ込み式の部材４の内側シェルの曲率と実質的に同一の曲率を有する。これらのローラと、前記第２のはめ込み式の部材の前記内側シェルと、前記スリーブとの間には、大きな径方向のクリアランスが、存在し、このクリアランスは、円錐状のリング２２の形式のエキスパンダ体の自由端によって部分的に占められている。この円錐状のリング２２は、反対の端で、前記ストッパ８に当たり、複数の前記ローラとスリーブとの間に、以下に説明されている方法で位置されることができる。ここまでで記述されてきたことは、前記第１のはめ込み式の部材と第２のはめ込み式の部材の間での、すなわち、第１のはめ込み式の部材の対の２つの隣接するはめ込み式の部材の間での、相対的なはめ込み式の動作を妨げるための第１の延長停止機構を構成している。
【００１４】
前記第２のはめ込み式の部材と第３のはめ込み式の部材とは、また、互いに隣接するはめ込み式の部材の対を形成しており、対応する第２の延長停止機構が、設けられている。この第２の延長停止機構は、類似している複数の詳細な部分が、インデックス（’）により補われた同じ参照符号により、示されている範囲で、上述の延長停止機構と実質的に類似している。第１の停止機構と第２の停止機構との間の主要な相違は、スリーブ１３’が、前記第１の機構の前記付属物１４を収納するための座部２５を有するという事実にある。
【００１５】
前記第３のはめ込み式の部材は、一端でキャップ２６により閉じられ、反対の端に、ちりとほこりが、前記脚部１の内側に入ることを妨げるための、防塵手段２７を有する。
【００１６】
中央の座部２９と径方向の複数のピン３０とを有し、小さな弾性のボールを有するタイプの、末端の栓２８は、前記キャップ２６を有する端にはめられている。
【００１７】
棒の形状をし、前記脚部１の軸方向に延びており、この脚部の外側から角度ガイド（angular guide）３３を通して、プッシュボタン３２により操作可能な操作装置３１が、前記第１の停止機構の開放の命令のために与えられている。                          ばね３４が、前記プッシュボタンを押されていない状態に促すために用いられ、ねじの切られた止めねじ３５が、前記ガイドと棒の形状の操作装置との間のクリアランスを調整するために用いられている。
【００１８】
前記棒の形状の操作装置３１は、前記スリーブ１３に拡大された部分３６を通して機能し、このスリーブを通して、装置の延長部分３７で延びており、前記栓２８の中央の前記座部２９においてスナップ係合が、可能であり、前記脚部１が、完全に収縮されている時（図１）、円周上の溝３８における半径方向の前記ピン３０のスナップ係合により、この座部２９に保持されている。その状態において、前記延長部分３７は、前記スリーブ１３’の軸方向の孔の中に収納されている。
【００１９】
前記脚部１の操作は、以下のようである。
【００２０】
図１の完全に収縮された位置から始めて、前記脚部を延ばすためには、前記第３のはめ込み式の部材をつかみ、結合のための前記機構２から牽引して離す力を、この部材に働かせれば十分である。まず、このことは、前記溝３８内の半径方向の複数の前記ピン３０のスナップ接続システムの接続をはずす結果となる。このスナップ接続システムは、前記脚部を収縮された位置でロックするために用いられている。第２に、前記脚部１は、３つの前記はめ込み式の部材の相対的な摺動で延長される。前記ばね１１は、前記はめ込み式の部材の間の相対的な摺動に対する摩擦を与えるのに十分な、弾性的な事前に負荷を加える作用を複数の前記ローラ２０からなるリングとエキスパンダ体２２との間に加えており、その結果、一度、前記脚部の所望の延長が、手動で調整された時は、この延長は、ゆっくりした変化が、ない時は、維持される。
【００２１】
前記はめ込み式の部材３、４、５の間の相対的な摺動は、前記脚部に与えられている負荷に比例して増加するブロック機能で妨げられている。前記プレート１６を通して前記ローラ２０のリングに与えられている弾性的なあらかじめ与えられた負荷のために、前記エキスパンダ体２２は、最初、複数のこのローラ２０からなるリングと前記スリーブ１３との間に位置されている。前記脚部を閉じる方向にこの脚部に与えられた軸方向の負荷は、複数の前記ローラが、押圧している前記はめ込み式の部材の内側のシェルに対するこれらのローラの比較的大きな圧力を作り出す位置取りの機能と首尾一貫している。しかし、問題となっている前記はめ込み式の部材の壁面は、損傷されない。これは、複数の前記ローラの曲率が、実質的に前記はめ込み式の部材の曲率と等しく、接触が、比較的大きな表面に渡って分配されているからである。実際には、前記ローラの表面とはめ込み式の部材の内側のシェルの表面との間の接触は、点状の接触の代わりに表面での接触である。
【００２２】
このことは、類似して前記第２の停止機構にあてはまる。
【００２３】
図１の最小の延長の状態に向けて前記脚部を再び閉じるために、前記プッシュボタン３２が、前記角度ガイド３３を回転させ、棒の形状をした操作装置３１を軸方向に動かすような仕方で、押される。まず、そのため、前記第１の停止の機構のロックを解除する機能が、働かされる。これは、前記プレート１６が、前記拡大された部分３６により前記スリーブ１３に振り分けられた運動により、前記円錐状のリング２２（エキスパンダ体）から離され、結果として複数の前記ローラ２０からなるリングを自由にするからである。このことは、前記第１のはめ込み式の部材の前記第２の部材に対する延長を、できる限り完全に閉じた状態に調整されることを可能にする。
【００２４】
前記はめ込み式の部材が、完全に互いに同心的に収縮されると、前記付属物１４は、前記第２の停止機構の前記スリーブ１３’に衝突し、このようにして前記第２の停止の機構のロックの解除を引き起こしている。前記第２の停止の機構の操作と結果として起こる、前記第２のはめ込み式の部材と第３のはめ込み式の部材との間の延長の調整は、前記第１の停止の機構に関連して述べられた仕方と類似の仕方で得られる。
【００２５】
本発明は、このように提示されている問題を解決し、三脚の開くことと閉じることとの比較的大きな速さを含めて、従来の複数の脚部に対して数多くの有利な点を得ている。加えて、各々の単一の脚部の長さの比較的単純な調整が、前記クロスメンバの近傍の前記コントロール用のプッシュボタンの位置付けのために、可能にされている。
【００２６】
さらに、ロックは、前記脚部の上にかけられている負荷と共に増加しているという事実のために、自己ロック効果が、得られ、この自己ロック効果は、固定された締め付け負荷を有するロックの機構により引き起こされる、不必要で損傷を与える過剰な負荷を避けている。
【００２７】
特に、本発明は、前記停止の機構に外部の部材を有していないことの有利な点を提供している。このように、この機構は、大気中の媒体の作用と激しい上下動とから比較的守られており、ケーブルまたはベルト（例えば、写真装置のケーブルまたはベルト）が、外部の部材に絡まされることができる、望まれていない可能性が、また、避けられている。
【図面の簡単な説明】
【００２８】
【図１】本発明に従って構成された脚部の縦断面図である。
【図２】図１のＩＩ−ＩＩ線の位置に沿って切断した断面図である。
【図３】図１のＩＩＩ−ＩＩＩ線の位置に沿って切断した断面図である。
【図１】
0004404894.tif 000002
【図２】
0004404894.tif 000003
【図３】
0004404894.tif 000004